(57)【特許請求の範囲】
【請求項１】
画像形成装置と、当該画像形成装置で画像形成された用紙に所定の後処理を施す後処理装置から構成される画像形成システムにおいて、
前記後処理装置は、
不揮発メモリと、
工場出荷時に接続される外部装置から、当該後処理装置の前記後処理における最適な調整値が通知された場合、当該通知された調整値を前記不揮発メモリの所定の記憶領域に保存する第１保存手段と、
前記画像形成装置からの要求に応じて、前記不揮発メモリに記憶された、前記後処理における最適な調整値を当該画像形成装置に通知する第１通知手段と、
を備えることを特徴とする画像形成システム。
【請求項２】
前記画像形成装置は、
不揮発メモリと、
接続可能な後処理装置の出荷時の調整値が当該後処理装置から取得済みであるか否かを示す情報を記憶する管理情報記憶手段と、
出荷時の調整値が取得されていない後処理装置が接続された場合、当該後処理装置に対し、出荷時の調整値の通知を要求する通知要求手段と、
前記通知要求手段による要求に応じて前記後処理装置から出荷時の調整値が通知された場合、当該通知された出荷時の調整値を前記不揮発メモリに保存する保存手段と、
前記通知要求手段による要求に応じて前記後処理装置から出荷時の調整値が通知された場合、前記管理情報記憶手段の記憶内容を更新する更新手段と、
を備えることを特徴とする請求項１に記載の画像形成システム。
【請求項３】
前記画像形成装置は、
当該画像形成装置の不揮発メモリに記憶された前記後処理装置の調整値を任意に変更する変更手段と、
前記後処理装置に対し、前記変更手段により変更された調整値の不揮発メモリへの保存を要求する保存要求手段と、を備え、
前記後処理装置は、
前記画像形成装置から保存要求された調整値を、当該後処理装置が備える不揮発メモリの前記所定の記憶領域以外の記憶領域に保存する第２保存手段を備えることを特徴とする請求項１又は２に記載の画像形成システム。
【請求項４】
前記画像形成装置は、
接続された後処理装置の前記所定の記憶領域以外の記憶領域に記憶された調整値の読み出しを要求する読出要求手段を備え、
前記後処理装置は、
前記読出要求手段によって要求された調整値を前記画像形成装置に通知する第２通知手段を備えることを特徴とする請求項３に記載の画像形成システム。
【請求項５】
画像形成装置で画像形成された用紙に所定の後処理を施す後処理装置において、
不揮発メモリと、
工場出荷時に接続される外部装置から、当該後処理装置の前記後処理における最適な調整値が通知された場合、当該通知された調整値を前記不揮発メモリの所定の記憶領域に保存する第１保存手段と、
前記画像形成装置からの要求に応じて、前記不揮発メモリに記憶された、前記後処理における最適な調整値を当該画像形成装置に通知する第１通知手段と、
を備えることを特徴とする後処理装置。
【請求項６】
前記画像形成装置から、任意に変更された調整値の保存を要求された場合、当該保存要求された調整値を、前記不揮発メモリの前記所定の記憶領域以外の記憶領域に保存する第２保存手段を備えることを特徴とする請求項５に記載の後処理装置。
【請求項７】
前記画像形成装置から、前記第２保存手段によって保存された調整値の通知が要求された場合、当該要求された調整値を前記画像形成装置に通知する第２通知手段を備えることを特徴とする請求項６に記載の後処理装置。
【発明の詳細な説明】
【技術分野】
【０００１】
本発明は、画像形成システム及び後処理装置に関する。
【背景技術】
【０００２】
近年、複写機、プリンタ等の画像形成装置に接続される後処理装置の高機能化、複雑化が進むにつれ、個々の後処理装置に対する調整機能が増加してきている。特に、最近では、電気的な調整値の変更を伴う調整機能も増加している。ここで、調整値とは、例えば、ステープル位置調整、折り位置調整、パンチ位置調整等の後処理に必要な調整値である。従来、電気的調整の対象となる調整値は、画像形成装置本体の不揮発メモリに保存され、管理されていた。例えば、特許文献１には、画像形成装置本体に、後処理装置の調整値を保存した複数の不揮発メモリを設け、後処理装置の工場出荷時の調整値に復元する技術が開示されている。
【特許文献１】特開２００４−１８６７９５号公報
【発明の開示】
【発明が解決しようとする課題】
【０００３】
しかしながら、従来、後処理装置の調整値は画像形成装置の不揮発メモリに保存されており、後処理装置を画像形成装置本体に接続（設置）する際に、サービスエンジニアによって各種調整を行っていたため、調整のために多大な工数と時間を要するという問題があった。
【０００４】
本発明の課題は、後処理装置を画像形成装置に接続（設置）する際の調整工数及び調整時間を削減することである。
【課題を解決するための手段】
【０００５】
上記課題を解決するため、請求項１に記載の発明は、画像形成装置と、当該画像形成装置で画像形成された用紙に所定の後処理を施す後処理装置から構成される画像形成システムにおいて、前記後処理装置は、
不揮発メモリと、
工場出荷時に接続される外部装置から、当該後処理装置の前記後処理における最適な調整値が通知された場合、当該通知された調整値を前記不揮発メモリの所定の記憶領域に保存する第１保存手段と、
前記画像形成装置からの要求に応じて、前記不揮発メモリに記憶された、前記後処理における最適な調整値を当該画像形成装置に通知する第１通知手段と、を備えることを特徴としている。
【０００６】
請求項２に記載の発明は、請求項１に記載の画像形成システムにおいて、前記画像形成装置は、不揮発メモリと、
接続可能な後処理装置の出荷時の調整値が当該後処理装置から取得済みであるか否かを示す情報を記憶する管理情報記憶手段と、
出荷時の調整値が取得されていない後処理装置が接続された場合、当該後処理装置に対し、出荷時の調整値の通知を要求する通知要求手段と、
前記通知要求手段による要求に応じて前記後処理装置から出荷時の調整値が通知された場合、当該通知された出荷時の調整値を前記不揮発メモリに保存する保存手段と、
前記通知要求手段による要求に応じて前記後処理装置から出荷時の調整値が通知された場合、前記管理情報記憶手段の記憶内容を更新する更新手段と、を備えることを特徴としている。
【０００７】
請求項３に記載の発明は、請求項１又は２に記載の画像形成システムにおいて、前記画像形成装置は、当該画像形成装置の不揮発メモリに記憶された前記後処理装置の調整値を任意に変更する変更手段と、
前記後処理装置に対し、前記変更手段により変更された調整値の不揮発メモリへの保存を要求する保存要求手段と、を備え、
前記後処理装置は、
前記画像形成装置から保存要求された調整値を、当該後処理装置が備える不揮発メモリの前記所定の記憶領域以外の記憶領域に保存する第２保存手段を備えることを特徴としている。
【０００８】
請求項４に記載の発明は、請求項３に記載の画像形成システムにおいて、前記画像形成装置は、
接続された後処理装置の前記所定の記憶領域以外の記憶領域に記憶された調整値の読み出しを要求する読出要求手段を備え、
前記後処理装置は、
前記読出要求手段によって要求された調整値を前記画像形成装置に通知する第２通知手段を備えることを特徴としている。
【０００９】
請求項５に記載の発明は、画像形成装置で画像形成された用紙に所定の後処理を施す後処理装置において、不揮発メモリと、
工場出荷時に接続される外部装置から、当該後処理装置の前記後処理における最適な調整値が通知された場合、当該通知された調整値を前記不揮発メモリの所定の記憶領域に保存する第１保存手段と、
前記画像形成装置からの要求に応じて、前記不揮発メモリに記憶された、前記後処理における最適な調整値を当該画像形成装置に通知する第１通知手段と、を備えることを特徴としている。
【００１０】
請求項６に記載の発明は、請求項５に記載の後処理装置において、前記画像形成装置から、任意に変更された調整値の保存を要求された場合、当該保存要求された調整値を、前記不揮発メモリの前記所定の記憶領域以外の記憶領域に保存する第２保存手段を備えることを特徴としている。
【００１１】
請求項７に記載の発明は、請求項６に記載の後処理装置において、前記画像形成装置から、前記第２保存手段によって保存された調整値の通知が要求された場合、当該要求された調整値を前記画像形成装置に通知する第２通知手段を備えることを特徴としている。
【発明の効果】
【００１２】
本発明によれば、後処理装置を画像形成装置に接続する際の調整工数及び調整時間を削減することが可能となる。
【発明を実施するための最良の形態】
【００１３】
以下、本発明の実施形態について説明する。
まず、本実施形態における構成について説明する。
【００１４】
図１に、本発明の実施形態に係る画像形成システム１００の全体構成及び各装置の主要部構成を示す。画像形成システム１００は、図１に示すように、画像形成装置１と後処理装置２がシリアル通信により接続され、後処理装置２と後処理装置３がシリアル通信により接続され、データの送受信が可能なように構成されている。なお、１台の画像形成装置１に接続される後処理装置の台数は特に限定されない。
【００１５】
次に、画像形成システム１００を構成する各装置の主要部構成について説明する。
まず、画像形成装置１の主要部構成について説明する。
【００１６】
画像形成装置１は、複写機、プリンタ等であり、図１に示すように、制御手段１０１、シリアル通信手段１０２、画像形成手段１０３、操作手段１０４、給紙手段１０５、不揮発メモリ制御手段１０６、第１搬送手段１０７ａ、第２搬送手段１０７ｂ等により構成される。
【００１７】
制御手段１０１は、ＣＰＵ（Central Processing Unit）、ＲＯＭ（Read Only Memory）、ＲＡＭ（Random Access Memory）等により構成される。制御手段１０１のＣＰＵは、操作手段１０４の操作又は画像形成装置１とＬＡＮ（Local Area Network）等の通信回線を介して接続されるＰＣ（Personal Computer）等の情報処理装置からの指示により、ＲＯＭに記憶されているシステムプログラムや各種処理プログラムを読み出してＲＡＭ内に展開し、展開されたプログラムに従って、画像形成装置１の各部の動作を制御する。
【００１８】
制御手段１０１は、出荷時の調整値が取得されていない後処理装置が接続された場合、シリアル通信手段１０２を介して出荷時の調整値を要求し、当該後処理装置から出荷時の調整値が取得されると、その取得された調整値を、不揮発メモリ制御手段１０６により制御される不揮発メモリに保存する。
【００１９】
本実施形態において調整値とは、後処理に必要な調整値であり、例えば、ステープル位置調整のための調整値、用紙を折る位置を調整するための調整値、パンチの穴位置を調整するための調整値などがある。
【００２０】
また、制御手段１０１は、操作手段１０４の操作により、任意のタイミングで変更された調整値の保存を該当する後処理装置へ要求したり、当該任意タイミングでの調整値を後処理装置から読み出すための制御を行う。
【００２１】
シリアル通信手段１０２は、シリアル通信Ｉ／Ｆ（インターフェース）等により構成され、画像形成装置１と他の装置（後処理装置２）との間でのシリアル通信による制御信号やデータ等の送受信を制御する。
【００２２】
画像形成手段１０３は、感光ドラム、トナー等を備えて構成されており、制御手段１０１からの印刷指示に従って、操作手段１０４から入力指示されたサイズ、向きの用紙が第１搬送手段１０７ａにより搬送されると、感光ドラム表面に画像の静電潜像を形成する。また、画像形成手段１０３は、感光ドラム表面の静電潜像を含む領域にトナーを付着させ、用紙（記録紙）にトナーを転写して定着させて、後処理装置２へ排出する。
【００２３】
操作手段１０４は、入力手段１０４ａ及び表示手段１０４ｂを備えて構成されている。入力手段１０４ａは、ＬＣＤ（Liquid Crystal Display）の表示画面上に透明電極を格子状に配置した感圧式（抵抗膜圧式）のタッチパネルにより構成され、手指やタッチペン等で押下された力点の座標を電圧値で検出し、検出された位置信号を操作信号として制御手段１０１に出力する。また、入力手段１０４ａは、数字ボタン、スタートボタン等の各種操作ボタンを備え、ボタン操作による操作信号を制御手段１０１に出力する。表示手段１０４ｂは、ＬＣＤにより構成され、制御手段１０１から入力される表示信号の指示に従って表示画面上に各種操作ボタンや装置の状態表示、各機能の動作状況等の表示処理を行う。
【００２４】
給紙手段１０５は、画像を転写するための用紙（記録紙）を収納する。給紙手段１０５には、例えば、サイズの異なる複数種類の用紙が、種類別に給紙トレイに収納されている。
【００２５】
不揮発メモリ制御手段１０６は、不揮発メモリを備え、当該不揮発メモリへのデータの書き込み、当該不揮発メモリからのデータの読み出しを制御する。
【００２６】
第１搬送手段１０７ａは、制御手段１０１からの指示に従って、給紙手段１０５に収納されている用紙（記録紙）を画像形成手段１０３等の各部へ搬送する。第２搬送手段１０７ｂは、両面印刷を行うための循環経路に沿って用紙を搬送する。
【００２７】
次に、後処理装置２及び後処理装置３の主要部構成について説明する。
後処理装置２は、図１に示すように、制御手段２０１、シリアル通信手段２０２、不揮発メモリ制御手段２０３、パンチ手段２０４、排出手段２０５、シリアル通信手段２０６、第１搬送手段２０７ａ、第２搬送手段２０７ｂ、第３搬送手段２０７ｃにより構成される。
【００２８】
制御手段２０１は、ＣＰＵ、ＲＯＭ、ＲＡＭ等により構成される。制御手段２０１のＣＰＵは、ＲＯＭに記憶されているシステムプログラムや各種処理プログラムを読み出してＲＡＭ内に展開し、展開されたプログラムに従って、後処理装置２の各部の動作を制御する。
【００２９】
制御手段２０１は、後処理装置２の工場出荷時に、ＰＣや画像形成装置等の外部装置からシリアル通信手段を介して、後処理を行うための最適な調整値が通知されると、その通知された調整値を不揮発メモリの所定の記憶領域（図３の記憶領域４）に書き込む。また、制御手段２０１は、画像形成装置１からの要求に応じて、不揮発メモリの記憶領域４に記憶された出荷時の調整値を、シリアル通信手段２０６を介して画像形成装置１に通知する。また、画像形成装置１から、任意タイミングでの調整値の保存が要求されると、制御手段２０１は、その調整値を不揮発メモリの記憶領域５（記憶領域４とは異なる記憶領域、図８参照）に保存し、画像形成装置１からの読み出し要求に応じて、記憶領域５に記憶された調整値を画像形成装置１に通知する。
【００３０】
シリアル通信手段２０２は、シリアル通信Ｉ／Ｆ（インターフェース）等により構成され、後処理装置２と他の装置（後処理装置３）との間でのシリアル通信による制御信号やデータ等の送受信を制御する。
【００３１】
不揮発メモリ制御手段２０３は、不揮発メモリを備え、当該不揮発メモリへのデータの書き込み、当該不揮発メモリからのデータの読み出しを制御する。この不揮発メモリは、複数の記憶領域を有しており、不揮発メモリ制御手段２０３は、出荷時に外部装置から通知された調整値、画像形成装置１からの保存要求によって指定された任意タイミングでの調整値を、それぞれ、異なる記憶領域に保存させる。
【００３２】
パンチ手段２０４は、画像形成装置１から排出された用紙の所定位置に所定形状のパンチ孔を空ける。なお、図１では、後処理装置２が後処理機能としてパンチ機能を有する場合を示しているが、他の後処理機能（ステープル機能等）を有するようにしてもよい。
【００３３】
排出手段２０５は、排紙トレイを備え、パンチ手段等による後処理が施された用紙や、後処理を行わなかった用紙を排紙して集積する。
【００３４】
シリアル通信手段２０６は、シリアル通信Ｉ／Ｆ（インターフェース）等により構成され、後処理装置２と他の装置（画像形成装置１）との間でのシリアル通信による制御信号やデータ等の送受信を制御する。
【００３５】
第１搬送手段２０７ａ、第２搬送手段２０７ｂ、第３搬送手段２０７ｃは、それぞれ、後処理の機能別に設けられた搬送手段であり、モータ等からなる駆動部分を含むローラを用いて、後処理機能別に設けられた搬送経路に沿って、画像形成装置１から排出された用紙を搬送する。例えば、第１搬送手段２０７ａは、画像形成装置１から排出された用紙をパンチ手段２０４へ搬送し、第２搬送手段２０７ｂ、第３搬送手段２０７ｃは、他の後処理手段（図示略）へと搬送する。
【００３６】
後処理装置３は、図１に示すように、制御手段３０１、シリアル通信手段３０２、不揮発メモリ制御手段３０３、後処理装置３に排出された用紙の凹凸（カール）を検出するカール検出手段３０４、排出手段３０５、シリアル通信手段３０６、第１搬送手段３０７ａ、第２搬送手段３０７ｂ、第３搬送手段３０７ｃにより構成される。なお、後処理装置３が有する後処理機能は、特に限定されない。また、後処理装置３のカール検出手段３０４以外の構成要素は、後処理装置２と略同一ゆえ、ここでの機能説明は省略する。
【００３７】
次に、本実施形態における動作について説明する。
まず、図２のシーケンス図を参照して、後処理装置（後処理装置２又は後処理装置３）の工場出荷時における処理について説明する。図２の処理では、後処理装置２の工場出荷時に、後処理装置２が、ＰＣ（Personal Computer）、画像形成装置等の外部装置に接続されているものとして説明する。
【００３８】
まず、外部装置から後処理装置２に対し、後処理装置２における最適な調整値（調整値１〜調整値ｎ）のデータが送信され（ステップＳ１）、これらの調整値の保存を要求する信号が送信される（ステップＳ２）。後処理装置２では、不揮発メモリ制御手段２０３によって制御される不揮発メモリの所定の記憶領域に、外部装置から送信された調整値のデータが保存される（ステップＳ３）。
【００３９】
図３に、後処理装置２の不揮発メモリ及び揮発メモリの状態の一例を示す。不揮発メモリは、出荷時の調整値を記憶する記憶領域４と、実動作時の任意タイミングで画像形成装置１において変更（設定）された調整値を記憶する記憶領域５を有する。外部装置から、出荷時の調整値“Ａ”の保存要求があった場合、不揮発メモリの記憶領域４に、出荷時の調整値（初期値）として“Ａ”が書き込まれる。後処理装置２の出荷時において、不揮発メモリの記憶領域５に記憶される調整値は“不定”である。また、揮発性メモリ６は、例えば、ＳＲＡＭ（Static Random Access Memory）であり、後処理装置２の実動作時に反映する調整値を保存する。後処理装置２の工場出荷時において、揮発性メモリ６に記憶される調整値は“不定”である。
【００４０】
出荷時における調整値が不揮発メモリに保存されると、出荷時の調整値の保存が完了したことを通知する信号が外部装置に送信され（ステップＳ４）、工場出荷時における処理が終了する。
【００４１】
次に、図４のシーケンス図を参照して、後処理装置を画像形成装置１の本体に新規に接続（設置）する場合に画像形成システム１００において実行される処理について説明する。ｌ図４では、後処理装置３が新規に接続されるものとして説明する。
【００４２】
まず、画像形成装置１の電源が投入（ＯＮ）されると（ステップＳ１０）、画像形成装置１に接続された後処理装置２及び後処理装置３から接続を通知する信号が送信される（ステップＳ１１及びＳ１２）。
【００４３】
接続通知を受けた画像形成装置１において、後処理装置３の出荷データ（出荷時の調整値等）が未取得であることが確認されると、後処理装置３に対し、出荷データを要求する信号が送信される（ステップＳ１３）。
【００４４】
出荷データ要求を受けた後処理装置３では、不揮発メモリの記憶領域４に記憶された出荷時の調整値のデータが読み出され、その読み出されたデータが出荷データとして画像形成装置１に送信される（ステップＳ１４）。
【００４５】
後処理装置３から出荷データを受信した画像形成装置１では、その受信された出荷データが不揮発メモリに保存される（ステップＳ１５）。後処理装置３による出荷データの送信後、出荷データの通知（送信）が完了したことを示す信号が画像形成装置１に送信される（ステップＳ１６）。ステップＳ１５において画像形成装置１の不揮発メモリに保存された調整値は、以後、後処理装置３の調整値として用いられることになる。
【００４６】
図５に、後処理装置３を画像形成装置１の本体に新規に接続した際の後処理装置３及び画像形成装置１における各メモリの状態を示す。画像形成装置１の不揮発メモリ制御手段１０６によって制御される不揮発メモリには、接続される後処理装置別に、調整値を記憶する記憶領域７が設けられている。また、画像形成装置１には、接続された後処理装置から出荷データ（出荷時の調整値等）が取得済みであるか否かを示す管理情報を記憶する管理情報記憶部８が設けられている。後処理装置３からの出荷データを取得していない場合、図５（ａ）に示すように、管理情報記憶部８には、後処理装置３の出荷データが未取得であることを示すデータが記憶される。このとき、不揮発メモリの記憶領域７に記憶される後処理装置３の出荷時の調整値は“不定値”である。
【００４７】
後処理装置３の出荷データが画像形成装置１に通知されると、図５（ｂ）に示すように、画像形成装置１の管理情報記憶部８が更新され、後処理装置３の出荷データが取得済みであることを示すデータが記憶され、不揮発メモリの記憶領域７には、後処理装置３から取得した調整値“Ａ”のデータが保存される。
【００４８】
次に、図６のフローチャートを参照して、電源投入時に画像形成装置１において実行される処理について詳細に説明する。図６では、画像形成装置１に、後処理装置２及び後処理装置３が接続可能である場合の処理について説明する。
【００４９】
電源が投入（ＯＮ）されると、画像形成装置１に接続可能な後処理装置の接続状態が確認される。まず、後処理装置２が接続されているか否か（即ち、後処理装置２から接続通知があるか否か）が判定される（ステップＳ２０）。ステップＳ２０において、後処理装置２が接続されていると判定された場合（ステップＳ２０；ＹＥＳ）、管理情報記憶部８に記憶された管理情報から、後処理装置２の出荷データが取得済みであるか否かが判定される（ステップＳ２１）。
【００５０】
ステップＳ２１において、後処理装置２の出荷データが未取得であると判定された場合（ステップＳ２１；ＮＯ）、後処理装置２に対して、出荷データを要求する信号が送信され（ステップＳ２２）、ステップＳ２１に戻る。ステップＳ２１において、後処理装置２の出荷データが取得済みであると判定された場合（ステップＳ２１；ＹＥＳ）、ステップＳ２３に移行する。
【００５１】
ステップＳ２０において、後処理装置２が接続されていないと判定された場合（ステップＳ２０；ＮＯ）、後処理装置３が接続されているか否か（即ち、後処理装置３から接続通知があるか否か）が判定される（ステップＳ２３）。
【００５２】
ステップＳ２３において、後処理装置３が接続されていると判定された場合（ステップＳ２３；ＹＥＳ）、管理情報記憶部８に記憶された管理情報から、後処理装置３の出荷データが取得済みであるか否かが判定される（ステップＳ２４）。
【００５３】
ステップＳ２４において、後処理装置３の出荷データが未取得であると判定された場合（ステップＳ２４；ＮＯ）、後処理装置３に対して、出荷データを要求する信号が送信され（ステップＳ２５）、ステップＳ２４に戻る。ステップＳ２４において、後処理装置３の出荷データが取得済みであると判定された場合（ステップＳ２４；ＹＥＳ）、電源投入時における処理が終了する。
【００５４】
また、後処理装置２、後処理装置３の何れも画像形成装置１に接続されていない場合（ステップＳ２３；ＮＯ）、電源投入時における画像形成装置１の処理が終了する。
【００５５】
画像形成装置１では、例えば、後処理装置２（又は後処理装置３）から出荷時の調整値（初期値）を取得した後の実動作時に、図７（ａ）に示すように、不揮発メモリに記憶された後処理装置２の出荷時の調整値“Ａ”を後処理装置２に通知する。後処理装置２では、画像形成装置１から通知された調整値“Ａ”を揮発性メモリ（ＳＲＡＭ）に記憶させ、揮発性メモリに記憶された調整値を参照して、画像形成装置１から指示された後処理を実行する。
【００５６】
画像形成装置１の実動作時に、操作手段１０４の操作により、後処理装置２の調整値が任意に変更（例えば、調整値“Ａ”から調整値“Ｂ”に変更）された場合、図７（ｂ）に示すように、その変更された調整値“Ｂ”が後処理装置２に通知される。後処理装置２では、画像形成装置１から通知された調整値“Ｂ”を揮発性メモリ（ＳＲＡＭ）６に記憶させ、揮発性メモリ６に記憶された調整値を参照して、画像形成装置１から指示された後処理を実行する。
【００５７】
また、図８（ａ）に示すように、画像形成装置１の実動作時に、後処理装置２の調整値が任意に変更（例えば、調整値“Ａ”から調整値“Ｃ”に変更）され、且つ、後処理装置２の不揮発メモリへ、変更された調整値“Ｃ”の保存が要求されると、後処理装置２では、この変更された調整値“Ｃ”を不揮発メモリの記憶領域５及び揮発性メモリ６に保存する。画像形成装置１から、不揮発メモリの記憶領域５に記憶された調整値“Ｃ”の読み出しが要求されると、図８（ｂ）に示すように、後処理装置２から、不揮発メモリの記憶領域５に記憶された調整値“Ｃ”が読み出され、画像形成装置１に通知される。
【００５８】
以上のように、本実施形態の画像形成システム１００によれば、後処理装置の出荷時に、最適な調整値を後処理装置の不揮発メモリに保存し、後処理装置を画像形成装置本体に設置（接続）する際に、後処理装置の不揮発メモリに保存された調整値を画像形成装置に通知するようにしたことにより、後処理装置の設置時に、従来のようにサービスエンジニアが各種調整を行う必要がなく、調整工数及び調整時間を大幅に削減することが可能となる。
【００５９】
特に、ユーザの操作によって、所望のタイミングで設定された調整値を個々の後処理装置に保存及び読み出し可能としたことにより、調整値をカスタマイズした出力を何度も行う場合、調整値を再設定する手間を省くことが可能となる。
【図面の簡単な説明】
【００６０】
【図１】本発明の実施形態に係る画像形成システムの構成を示すブロック図。
【図２】工場出荷時において後処理装置への調整値保存処理を示すシーケンス図。
【図３】工場出荷時における後処理装置の不揮発メモリ及び揮発性メモリの状態を示す図。
【図４】後処理装置を画像形成装置本体に最初に接続する際に画像形成システムにおいて実行される処理を示すシーケンス図。
【図５】後処理装置を画像形成装置本体に最初に接続する際の各メモリの状態を示す図。
【図６】電源ＯＮ時に画像形成装置において実行される処理を示すフローチャート。
【図７】画像形成システムの実動作時に調整値の変更が行われる場合の各メモリの状態を示す図。
【図８】画像形成装置で変更された調整値を後処理装置に保存する場合の各メモリの状態を示す図。
【符号の説明】
【００６１】
１  画像形成装置
２、３  後処理装置
４  第１記憶領域
５  第２記憶領域
６  揮発性メモリ
７  記憶領域
８  管理情報記憶部
１００  画像形成システム
１０１、２０１、３０１  制御手段
１０２、２０２、２０６、３０２、３０６  シリアル通信手段
１０３  画像形成手段
１０４  操作手段
１０４ａ  入力手段
１０４ｂ  表示手段
１０５  給紙手段
１０６、２０３、３０３  不揮発メモリ制御手段
１０７ａ、２０７ａ、３０７ａ  第１搬送手段
１０７ｂ、２０７ｂ、３０７ｂ  第２搬送手段
２０７ｃ、３０７ｃ  第３搬送手段
２０４  パンチ手段
２０５、３０５  排出手段
３０４  カール検出手段
【図１】
0004577120.tif 000002
【図２】
0004577120.tif 000003
【図３】
0004577120.tif 000004
【図４】
0004577120.tif 000005
【図５】
0004577120.tif 000006
【図６】
0004577120.tif 000007
【図７】
0004577120.tif 000008
【図８】
0004577120.tif 000009